(57)【特許請求の範囲】
【請求項１】
シャーシに対して一端を支点に回動可能な支持板を設置し、該支持板の内面側に複数枚の電子回路基板を積層して外部からアクセス可能に取り付け、
前記支持板に前記電子回路基板にアクセスするための開口部を設けた
ことを特徴とするシャーシ。
【請求項２】
前記支持板の内面側に３枚以上の前記電子回路基板を積層して取り付け、その３枚以上の前記電子回路基板のうち、両端側の前記電子回路基板の間に挟まれて設置される内部側の前記電子回路基板を挿入、引き出し可能とするレールを有することを特徴とする請求項１に記載のシャーシ。
【請求項３】
請求項１または２に記載のシャーシを有することを特徴とする画像形成装置。
【請求項４】
本体に対して一端を支点に回動可能なカバーを設置し、該カバーの内面側に複数枚の電子回路基板を積層して外部からアクセス可能に取り付け、
前記カバーに前記電子回路基板にアクセスするための蓋付きの開口部を設けた
ことを特徴とする画像形成装置。
【請求項５】
前記カバーの内面側に３枚以上の前記電子回路基板を積層して取り付け、その３枚以上の前記電子回路基板のうち、両端側の前記電子回路基板の間に挟まれて設置される内部側の前記電子回路基板を挿入、引き出し可能とするレールを有することを特徴とする請求項４に記載の画像形成装置。
【発明の詳細な説明】
【０００１】
【発明の属する技術分野】
本発明は、複写機やプリンター等の画像形成装置に適用でき、その電子制御回路を構成する電子回路基板をメンテナンスやサービス時に外部から容易にアクセスできるようにした、シャーシおよび画像形成装置に関するものである。
【０００２】
【従来の技術】
複写機やプリンター等の画像形成装置は、近年益々小型化されてきており、その電子制御回路を構成する電子回路基板は、通常画像形成装置のリヤカバーの内面に取り付けられるケースが多いが、リヤカバーに大きな１枚の電子回路基板を取り付けたり、実開昭６１−４４６５３号公報に記載されているように、リヤカバーに面積を小さくした２枚の電子回路基板を並列に並べて取り付けたりするだけのスペースを確保することが難しくなりつつある。
そこで、面積を小さくした電子回路基板を複数枚積層して取り付ける構造が採られるようになってきている。
【０００３】
しかしながら、電子回路基板を複数枚積層して取り付けた場合、メンテナンスやサービス時に表面側の電子回路基板に対しては、容易にアクセスすることができるものの、表面側以外の内部側に位置する電子回路基板にアクセスする場合には、表面側の電子回路基板を取り外してアクセスする必要が生ずる。
このように表面側の電子回路基板を取り外すには、コネクタ等を抜かなければならず、この場合、他の電子回路基板も動作不能になるため、メンテナンスやサービス性を低下させる等の問題が発生する。
【０００４】
【発明が解決しようとする課題】
本発明の課題は、複数枚積層して取り付けられる電子回路基板に対し、電子回路基板を取り外すことなく、各々独立して外部から容易にアクセスできるようにして、メンテナンス性やサービス性を向上させることができる、複写機やプリンター等に適用できるシャーシおよび画像形成装置を提供することにある。
本発明のもう一つの課題は、積層して取り付けられる電子回路基板の積層枚数を小型化や制御容量の大容量化のために増加しても、全ての電子回路基板に対して外部から容易にアクセスすることができる、複写機やプリンター等に適用できるシャーシおよび画像形成装置を提供することにある。
【０００５】
【課題を解決するための手段】
上記した課題を解決するため、本発明の請求項１にかかるシャーシは、シャーシに対して一端を支点に回動可能な支持板を設置し、該支持板の内面側に複数枚の電子回路基板を積層して外部からアクセス可能に取り付けたことを特徴とするもので、メンテナンスやサービスが必要な際に、支持板を外部側へ回動させることにより、これに外部からアクセス可能に取り付けられている複数枚の積層された電子回路基板に対し、それぞれ容易にアクセスすることができる。
【０００６】
また、本発明の請求項１にかかるシャーシは、前記支持板に前記電子回路基板にアクセスするための開口部を設けたことを特徴とするもので、最も支持板寄りに取り付けられている電子回路基板に対しては、該開口部からアクセスしてメンテナンスやサービスを行うことができる。
【０００７】
更に、本発明の請求項２にかかるシャーシは、前記支持板の内面側に３枚以上の前記電子回路基板を積層して取り付け、その３枚以上の前記電子回路基板のうち、両端側の前記電子回路基板の間に挟まれて設置される内部側の前記電子回路基板を挿入、引出し可能とするレールを有することを特徴とするもので、両端側の電子回路基板の間に挟まれて設置されている内部側の電子回路基板は、レールから引き出すことによって、それぞれに対して容易にアクセスすることができる。
【０００８】
また、本発明の請求項３にかかる画像形成装置は、請求項１または２に記載のシャーシを有することを特徴とするもので、上記したシャーシを有することによって、電子回路基板の積層枚数を増加しながら、なおかつ画像形成装置の小型化や制御容量の大容量化を実現することができる。
【０００９】
更に、本発明の請求項４にかかる画像形成装置は、本体に対して一端を支点に回動可能なカバーを設置し、該カバーの内面側に複数枚の電子回路基板を積層して外部からアクセス可能に取り付けたことを特徴とするもので、メンテナンスやサービスが必要な際に、カバーを外部側へ回動させることにより、これに外部からアクセス可能に取り付けられている複数枚の積層された電子回路基板に対し、それぞれ容易にアクセスすることができる。
【００１０】
更にまた、本発明の請求項４にかかる画像形成装置は、前記カバーに前記電子回路基板にアクセスするための蓋付きの開口部を設けたことを特徴とするもので、最もカバー寄りに取り付けられている電子回路基板に対しては、蓋を開けることにより開口部からアクセスしてメンテナンスやサービスを行うことができる。
【００１１】
また、本発明の請求項５にかかる画像形成装置は、前記カバーの内面側に３枚以上の前記電子回路基板を積層して取り付け、その３枚以上の前記電子回路基板のうち、両端側の前記電子回路基板の間に挟まれて設置される内部側の前記電子回路基板を挿入、引出し可能とするレールを有することを特徴とするもので、両端側の電子回路基板の間に挟まれて設置されている内部側の電子回路基板は、カバーを開けた状態においてレールから引き出すことによって、それぞれ対して容易にアクセスすることができる。
【００１２】
【発明の実施の形態】
以下に本発明の実施の形態を図１乃至図３に基いて説明する。
図１は本発明の第１の実施形態にかかる画像形成装置の電子回路基板取り付けシャーシの全体構成図、図２は本発明の第２の実施形態にかかる画像形成装置の全体構成図、図３はその電子回路基板取り付け部分の細構成図である。
【００１３】
図１に示す第１の実施の形態において、１は複写機やプリンター等の画像形成装置であり、その本体の一側面、例えばリヤ面のカバー２の内部側に支持板３を回動可能に設置している。
この支持板３は、下端が画像形成装置１の本体下部のシャーシ４に支軸５を介して回動可能に支持され、その上部が画像形成装置１の本体上部の特定位置にビス等により係止されるようになっている。
【００１４】
シャーシ４に支持された支持板３の内面、外面の両面には、電子回路基板６が積層された状態に取り付けられており、この支持板３を画像形成装置１の本体内に回動し、上部を画像形成装置１の本体上部の特定位置にビス等により係止して、その外側からカバー２を閉じることによって、電子回路基板６を画像形成装置１の本体内に設置できるようにしている。
【００１５】
しかして、上記のように設置された電子回路基板６をメンテナンスやサービス時にアクセスする際には、先ず外側のカバー２を開ける。このカバー２は開閉自在であっても、取り外し自在であってもよい。
ついで、外部に面している支持板３の外面側に取り付けられている電子回路基板６の動作を外部からアクセスして点検、確認し、不良箇所があれば、それを修理する。修理が終わったら、外側からカバー２を閉じて元の状態に戻す。
【００１６】
一方、不良箇所が支持板３の外面側に取り付けられている電子回路基板６でなかった場合には、更に支持板３の上部を係止しているビス等を外し、支持板３を下部の支軸５を支点に回動して外部に取り出した状態とする。
この状態で支持板３の内面側に取り付けられている電子回路基板６の動作を外部からアクセスして点検、確認し、不良箇所があれば、それの修理を行い、修理が終わったら、元の位置に戻し外側からカバー２を閉じる。
【００１７】
このように画像形成装置１のシャーシ４に一端を支点にして回動可能な支持板３を設置し、この支持板３に外部からアクセスできるように複数枚の電子回路基板６を取り付けることにより、メンテナンスやサービス時において、複数枚の電子回路基板６に対し、他の電子回路基板６を取り外すことなく、各々独立して外部から容易にアクセスすることができる。
従って、メンテナンス性やサービス性を向上させることができる。
【００１８】
つぎに、図２に示す第２の実施の形態について説明する。
この実施の形態は、画像形成装置1の本体の一側面、例えばリヤ面のカバー２を本体の下部に支軸７を介して回動可能に設置し、このカバー２の内面に図３に示すように左右一対の取り付けブラケット８を設けることにより、複数枚、ここでは３枚の電子回路基板６を積層して取り付けたものである。
【００１９】
取り付けブラケット８は、３枚の電子回路基板６のうち、最も内面側に位置する第１の電子回路基板６を取り付けるフランジ９、カバー側に位置する第３の電子回路基板６を取り付けるフランジ１０、及びその間に位置する第２の電子回路基板６を挿入、引出し可能に設置するレール１１を有しており、この取り付けブラケット８のフランジ９、１０に第１の電子回路基板６及び第３の電子回路基板６を表側、裏側からそれぞれビス止め等により取り付け、第２の電子回路基板６をレール１１に挿入して設置することにより、電子回路基板６を３層に積層して取り付けている。
【００２０】
なお、第２の電子回路基板６は、取り付けブラケット８のレール１１から引き出した場合でも、動作可能なように適宜長さのハーネスを介して画像形成装置１に接続されているものとする。
また、カバー２には、カバー側に位置する第３の電子回路基板６を外部側からアクセスできるようにアクセス用の開口部１２が設けられており、この開口部１２には蓋１３が開閉自在又は取り外し自在に設けられている。
【００２１】
しかして、上記のように設置された電子回路基板６をメンテナンスやサービス時にアクセスする際には、先ずカバー２に設けられている開口部１２の蓋１３を開ける。
この状態でカバー２側に位置する第３の電子回路基板６にアクセスし、不良箇所があれば、それを修理する。第３の電子回路基板６だけで修理が終われば、蓋１３を閉めることによってメンテナンスやサービスを終える。
【００２２】
不良箇所が第３の電子回路基板６でなかった場合は、カバー２をその支軸７を支点に外部側へ回動させ、第１の電子回路基板６及び第２の電子回路基板６に対してアクセス可能な状態とする。
第１の電子回路基板６に対しては、カバー２を開けることによりそのまま表面側からアクセスすることができ、不良箇所があれば修理し、また、第２の電子回路基板６に対しては、第１の電子回路基板６及び第３の電子回路基板６の間に挟まれており、そのままではアクセスできないため、取り付けブラケット８のレール１１から引き出すことによってアクセスする。
【００２３】
第１の電子回路基板６又は第２の電子回路基板６に不良箇所があり、その修理が終了したら、第２の電子回路基板６の場合は、引き出した状態から元の挿入状態に戻し、カバー２を閉じて画像形成装置１の本体側に固定し、更にアクセス用の開口部１２の蓋１３が外されているときは、蓋１３をカバー２の開口部１２に装着して閉じることによってメンテナンスやサービスを終える。
【００２４】
以上のように画像形成装置１のカバー２を、一端を支点にして回動可能に設置し、このカバー２の内面に取り付けブラケット８を介して外部からアクセスできるように複数枚の電子回路基板６を取り付け設置することにより、メンテナンスやサービスの際に、複数枚の電子回路基板６に対して、他の電子回路基板６を取り外すことなく、各々独立して外部から容易にアクセスすることができる。
従って、メンテナンス性やサービス性を向上させることができる。
【００２５】
次いで、上記した以外の実施の形態を以下に説明する。
まず第１に、図１に示した第１の実施の形態における支持板３に対して、その内面側又は外面側のいずれかに図３に示した取り付けブラケット８を設けると共に、アクセス用の開口部１２を設け、この取り付けブラケット８に複数枚の電子回路基板６を積層して取り付けることによっても、上記した実施の形態と同様の効果を期待することができる。
【００２６】
第２に、図２に示した第２の実施の形態におけるカバー２の内面側に、図１に示した支持板３を回動可能に設置し、この支持板３の内面、外面の両面に複数枚の電子回路基板６を積層して取り付けるようにしてもよく、この場合においても、上記と同様の効果を期待することができる。また、この場合には、支持板３がカバー２に回動可能に設置されているため、カバー２に設けられているアクセス用の開口部１２や蓋１３をなくすることができる。
【００２７】
第３に、上記した各実施の形態では、電子回路基板６を２枚、又は３枚積層して取り付けた場合の例について説明したが、図３に示した取り付けブラケット８に対して、フランジ９、１０の間にレール１１を複数条形成し、そのように構成した取り付けブラケット８をカバー２あるいは支持板３に設け、最も内面側に位置する第１の電子回路基板６とカバー２又は支持板３側に位置する第３の電子回路基板６との間に、複数条のレール１１を利用して複数枚の第２の電子回路基板６を設置することによって、簡易に４枚以上の電子回路基板６を積層して設置することができる。
【００２８】
【発明の効果】
以上に説明したように、本発明にかかるシャーシ及び画像形成装置によると、電子回路基板を複数枚積層して取り付け設置した場合であっても、他の電子回路基板を取り外すことなく、各々電子回路基板に対して独立して外部から容易にアクセスすることができるため、メンテナンス性やサービス性を向上させることができる。
また、電子回路基板の積層枚数を増やしても、全ての電子回路基板に対して同様に外部から容易にアクセスできるため、画像形成装置のより小型化や制御容量の大容量化にも貢献することができる。
【図面の簡単な説明】
【図１】  本発明の第１の実施形態にかかる画像形成装置の電子回路基板取り付けシャーシの全体構成図である。
【図２】  本発明の第２の実施形態にかかる画像形成装置の全体構成図である。
【図３】  第２の実施形態にかかる画像形成装置の電子回路基板取り付け部分の詳細構成図である。
【符号の説明】
１  画像形成装置
２  カバー
３  支持板
４  シャーシ
６  電子回路基板
８  取り付けブラケット
１１  レール
１２  開口部
１３  蓋
【図１】
0003674199.tif 000002
【図２】
0003674199.tif 000003
【図３】
0003674199.tif 000004